(57)【要約】【課題】少なくとも１つの移動体通信ユニットの少なくとも１つの機能を制御するシステムは、少なくとも１つの移動体通信ユニットに連結された少なくとも１つのセンサユニットを含む。【解決手段】上記少なくとも１つのセンサユニットは、上記少なくとも１つの移動体通信ユニットと関連した少なくとも１つのパラメータを検出する。上記少なくとも１つのセンサユニットのそれぞれのセンサユニットは、上記少なくとも１つのパラメータのそれぞれの検出されたパラメータに関係するそれぞれのインジケータを提示する。上記システムはまた、上記少なくとも１つのセンサユニットに連結された少なくとも１つの機能管理システムを含む。上記少なくとも１つの機能管理システムは、それぞれのインジケータの表示を受信する。上記少なくとも１つの機能管理システムは、上記少なくとも１つの移動体通信ユニットと協働して上記表示を使用して、上記制御を行う。【選択図】図１
2009290871.tif 000002
【特許請求の範囲】
【請求項１】
少なくとも１つの移動体通信ユニットの少なくとも１つの機能を制御するシステムにおいて、
上記システムは、
（ａ）少なくとも１つのセンサユニットと、
（ｂ）上記少なくとも１つのセンサユニットに連結された少なくとも１つの機能管理システムとを備え、
上記少なくとも１つのセンサユニットは、上記少なくとも１つの移動体通信ユニットに連結され、
上記少なくとも１つのセンサユニットは、上記少なくとも１つの移動体通信ユニットと関連した少なくとも１つのパラメータを検出し、
上記少なくとも１つのセンサユニットのそれぞれのセンサユニットは、上記少なくとも１つのパラメータのそれぞれの検出されたパラメータに関係するそれぞれのインジケータを提示し、
上記少なくとも１つの機能管理システムは、上記それぞれのインジケータのそれぞれの表示を受信し、
上記少なくとも１つの機能管理システムは、上記少なくとも１つの移動体通信ユニットと協働して上記表示を使用して、上記制御を行うシステム。
【請求項２】
上記少なくとも１つのセンサユニットは、少なくとも１つの局所センサユニットを含み、
上記少なくとも１つの局所センサユニットのそれぞれの局所センサユニットは、上記少なくとも１つの移動体通信ユニットのそれぞれの移動体通信ユニットに移動のために接続される請求項１記載の少なくとも１つの移動体通信ユニットの少なくとも１つの機能を制御するシステム。
【請求項３】
上記少なくとも１つのセンサユニットは、少なくとも１つのネットワークベースのセンサユニットを含み、
上記少なくとも１つのネットワークベースのセンサユニットは、それぞれのネットワークを経由して、上記少なくとも１つの移動体通信ユニットのそれぞれの移動体通信ユニットに連結される請求項１記載の少なくとも１つの移動体通信ユニットの少なくとも１つの機能を制御するシステム。
【請求項４】
上記少なくとも１つの機能管理システムは、実質的に固定された請求項１記載の少なくとも１つの移動体通信ユニットの少なくとも１つの機能を制御するシステム。
【請求項５】
上記少なくとも１つの機能管理システムは、少なくとも１つの第１の機能管理ユニットと少なくとも１つの第２の機能管理ユニットとを含み、
上記少なくとも１つの第１の機能管理ユニットは、実質的に固定され、
上記少なくとも１つの第２の機能管理ユニットのそれぞれの第２の機能管理ユニットは、上記少なくとも１つの移動体通信ユニットのそれぞれの移動体通信ユニットに接続される請求項１記載の少なくとも１つの移動体通信ユニットの少なくとも１つの機能を制御するシステム。
【請求項６】
上記少なくとも１つのセンサユニットは、少なくとも１つのネットワークベースのセンサユニットを含み、
上記少なくとも１つのネットワークベースのセンサユニットは、それぞれのネットワークを経由して、上記少なくとも１つの移動体通信ユニットのそれぞれの移動体通信ユニットに連結される請求項２記載の少なくとも１つの移動体通信ユニットの少なくとも１つの機能を制御するシステム。
【請求項７】
上記少なくとも１つの機能管理システムは、実質的に固定された請求項１記載の少なくとも１つの移動体通信ユニットの少なくとも１つの機能を制御するシステム。
【請求項８】
上記少なくとも１つの機能管理システムは、少なくとも１つの第１の機能管理ユニットと少なくとも１つの第２の機能管理ユニットとを含み、
上記少なくとも１つの第１の機能管理ユニットは、実質的に固定され、
上記少なくとも１つの第２の機能管理ユニットのそれぞれの第２の機能管理ユニットは、上記少なくとも１つの移動体通信ユニットのそれぞれの移動体通信ユニットに接続される請求項３記載の少なくとも１つの移動体通信ユニットの少なくとも１つの機能を制御するシステム。
【請求項９】
移動体通信ユニットの動作に影響を及ぼすシステムにおいて、
上記システムは、
（ａ）上記移動体通信ユニットに連結された少なくとも１つのセンサユニットと、
（ｂ）上記少なくとも１つのセンサユニットに連結された少なくとも１つの機能管理システムとを備え、
上記少なくとも１つのセンサユニットは、上記移動体通信ユニットと関連した少なくとも１つのパラメータを検出し、
上記少なくとも１つのセンサユニットのそれぞれのセンサユニットは、上記少なくとも１つのパラメータのそれぞれの検出されたパラメータに関係するそれぞれのインジケータを提示し、
上記少なくとも１つの機能管理システムは、上記それぞれのインジケータのそれぞれの表示を受信し、
上記少なくとも１つの機能管理システムは、上記それぞれの移動体通信ユニットと協働して上記表示を使用して、上記影響を及ぼすシステム。
【請求項１０】
上記少なくとも１つのセンサユニットは、少なくとも１つの局所センサユニットを含み、
上記少なくとも１つの局所センサユニットのそれぞれの局所センサユニットは、上記移動体通信ユニットに移動のために接続される請求項９記載の移動体通信ユニットの動作に影響を及ぼすシステム。
【請求項１１】
上記少なくとも１つのセンサユニットは、少なくとも１つのネットワークベースのセンサユニットを含み、
上記少なくとも１つのネットワークベースのセンサユニットは、少なくとも１つのネットワークを経由して、上記移動体通信ユニットに連結される請求項９記載の移動体通信ユニットの動作に影響を及ぼすシステム。
【請求項１２】
上記少なくとも１つの機能管理システムは、実質的に固定された請求項９記載の移動体通信ユニットの動作に影響を及ぼすシステム。
【請求項１３】
上記少なくとも１つの機能管理システムは、少なくとも１つの第１の機能管理ユニットと第２の機能管理ユニットとを含み、
上記少なくとも１つの第１の機能管理ユニットは、実質的に固定され、
上記第２の機能管理ユニットは、上記移動体通信ユニットに接続される請求項９記載の移動体通信ユニットの動作に影響を及ぼすシステム。
【請求項１４】
上記少なくとも１つのセンサユニットは、少なくとも１つのネットワークベースのセンサユニットを含み、
上記少なくとも１つのネットワークベースのセンサユニットは、少なくとも１つのネットワークを経由して、上記移動体通信ユニットに連結される請求項１０記載の移動体通信ユニットの動作に影響を及ぼすシステム。
【請求項１５】
上記少なくとも１つの機能管理システムは、実質的に固定された請求項９記載の移動体通信ユニットの動作に影響を及ぼすシステム。
【請求項１６】
上記少なくとも１つの機能管理システムは、少なくとも１つの第１の機能管理ユニットと第２の機能管理ユニットとを含み、
上記少なくとも１つの第１の機能管理ユニットは、実質的に固定され、
上記第２の機能管理ユニットは、上記移動体通信ユニットに接続される請求項１１記載の移動体通信ユニットの動作に影響を及ぼすシステム。
【請求項１７】
少なくとも１つの移動体通信ユニットの少なくとも１つの機能を制御する方法において、
上記方法は、
（ａ）順不同で、（１）少なくとも１つのセンサユニットを提供すること、及び（２）少なくとも１つの機能管理システムを提供することと、
（ｂ）順不同で、（１）上記少なくとも１つのセンサユニットを上記少なくとも１つの移動体通信ユニットに連結すること、及び（２）上記少なくとも１つの機能管理システムを上記少なくとも１つのセンサユニットに連結することと、
（ｃ）上記少なくとも１つのセンサユニットを動作させて、上記少なくとも１つの移動体通信ユニットと関連した少なくとも１つのパラメータを検出し、上記少なくとも１つのパラメータのそれぞれの検出されたパラメータに関係するそれぞれのインジケータを提示することと、
（ｄ）上記少なくとも１つの機能管理システムを動作させて、上記それぞれのインジケータのそれぞれの表示を受信することと、
（ｅ）上記少なくとも１つの移動体通信ユニットと協働して上記少なくとも１つの機能管理システムを動作させて、上記表示を使用し、上記制御を行うこととを備えた方法。
【請求項１８】
上記少なくとも１つのセンサユニットは、少なくとも１つの局所センサユニットを含み、
上記少なくとも１つの局所センサユニットのそれぞれの局所センサユニットは、上記少なくとも１つの移動体通信ユニットのそれぞれの移動体通信ユニットに移動のために接続される請求項１７記載の少なくとも１つの移動体通信ユニットの少なくとも１つの機能を制御する方法。
【請求項１９】
上記少なくとも１つのセンサユニットは、少なくとも１つのネットワークベースのセンサユニットを含み、
上記少なくとも１つのネットワークベースのセンサユニットは、それぞれのネットワークを経由して、上記少なくとも１つの移動体通信ユニットのそれぞれの移動体通信ユニットに連結される請求項１８記載の少なくとも１つの移動体通信ユニットの少なくとも１つの機能を制御する方法。
【請求項２０】
上記少なくとも１つの機能管理システムは、少なくとも１つの第１の機能管理ユニットと少なくとも１つの第２の機能管理ユニットとを含み、
上記少なくとも１つの第１の機能管理ユニットは、実質的に固定され、
上記少なくとも１つの第２の機能管理ユニットのそれぞれの第２の機能管理ユニットは、上記少なくとも１つの移動体通信ユニットのそれぞれの移動体通信ユニットに接続される請求項１９記載の少なくとも１つの移動体通信ユニットの少なくとも１つの機能を制御する方法。
【発明の詳細な説明】
【技術分野】
【０００１】
本発明は、遠隔通信システムに関し、特に、移動体通信ユニットと関連した検出されたパラメータに応じて移動体通信ユニットの機能を制御すること又は変更することに関する。
【背景技術】
【０００２】
制限事項としてではなく一例として携帯電話機など、移動体通信ユニットの機能を変更すること、又は制御することを希望する状況が存在する。さらに、制限事項としてではなく一例として、携帯電話機が移動車両の中にある間、時折テキスティング（texting）と呼ばれるショートメッセージサービス（ＳＭＳ：Ｓｈｏｒｔ  Ｍｅｓｓａｇｅ  Ｓｅｒｖｉｃｅ）に携わる能力を制限すること、又は阻止することを希望することがある。移動体通信ユニットが利用可能な機能のこのような制限は、移動体通信ユニットのユーザの安全性を改善することができる。
【０００３】
別の例は、携帯電話機が、制限事項としてではなく一例として、映画館、学校、病院、教会、又は着信している電話機が迷惑な他の場所などの特定の場所にある間、着信音を抑制する又は阻止することを含んでもよい。
【発明の概要】
【発明が解決しようとする課題】
【０００４】
移動体通信ユニットの機能を制御するシステム又は方法は、制御される移動体通信ユニットに接続されたセンサを用いて、移動体通信ユニットにサービスを提供するネットワークに連結されたセンサを用いて、あるいは移動体通信ユニットに直接的に接続された移動体センサとネットワークを経由して移動体通信ユニットに連結された固定されたセンサとの組み合わせを用いて実装されてもよい。
【０００５】
緊急９‐１‐１呼び出し能力や機能などの緊急呼び出し能力が、センサによって示された情報に関わらず常時移動体通信ユニットとって利用可能であることを保証することは、移動体通信ユニットの機能を制御する方法及びシステムにとって有用である。
【０００６】
ユーザは常に状況に注意を払っているわけではない、移動体通信ユニットを使用しているときに常に安全を意識しているわけではない、及び移動体通信ユニットを使用しているときに常に思いやりがあるわけではないという理由から、１つあるいは複数の機能が移動体通信ユニットに対して制限されるあるいは抑制される状況を自動的に検出することが望ましい。
【０００７】
移動体通信ユニットに関連して検出された状況に応じて移動体通信ユニットの機能を制御するシステム及び方法が必要である。
【課題を解決するための手段】
【０００８】
少なくとも１つの移動体通信ユニットの少なくとも１つの機能を制御するシステムは、少なくとも１つの移動体通信ユニットに連結された少なくとも１つのセンサユニットを含む。上記少なくとも１つのセンサユニットは、上記少なくとも１つの移動体通信ユニットと関連した少なくとも１つのパラメータを検出する。上記少なくとも１つのセンサユニットのそれぞれのセンサユニットは、上記少なくとも１つのパラメータのそれぞれの検出されたパラメータに関係するそれぞれのインジケータ（指示子）を提示（表示）する。上記システムはまた、上記少なくとも１つのセンサユニットに連結された少なくとも１つの機能管理システムを含む。上記少なくとも１つの機能管理システムは、それぞれのインジケータ（指示子）の表示を受信する。上記少なくとも１つの機能管理システムは、上記少なくとも１つの移動体通信ユニットと協働して上記表示を使用して、上記制御を行う。
【０００９】
少なくとも１つの移動体通信ユニットの少なくとも１つの機能を制御する方法であって、上記方法は、（ａ）順不同で、（１）少なくとも１つのセンサユニットを提供すること、及び（２）少なくとも１つの機能管理システムを提供することと、（ｂ）順不同で、（１）上記少なくとも１つのセンサユニットを上記少なくとも１つの移動体通信ユニットに連結すること、及び（２）上記少なくとも１つの機能管理システムを上記少なくとも１つのセンサユニットに連結することと、（ｃ）上記少なくとも１つのセンサユニットを動作させて、上記少なくとも１つの移動体通信ユニットと関連した少なくとも１つのパラメータを検出し、上記少なくとも１つのパラメータのそれぞれの検出されたパラメータに関係するそれぞれのインジケータ（指示子）を提示（表示）することと、（ｄ）上記少なくとも１つの機能管理システムを動作させて、上記それぞれのインジケータ（指示子）のそれぞれの表示を受信することと、（ｅ）上記少なくとも１つの移動体通信ユニットと協働して上記少なくとも１つの機能管理システムを動作させて、上記表示を使用して、上記制御を行うこととを含む。
【００１０】
したがって、移動体通信ユニットに関連して検出された状況に応じて移動体通信ユニットの機能を制御するシステム及び方法を提供することが本発明の１つの特徴である。
【００１１】
本発明の別の特徴は、添付の図面と関連して考慮されるときに以下の明細書及び特許請求の範囲から明らかである。図面では、同様の要素又は素子は各種の図において同様の参照番号を用いてラベル付けされており、図面は本発明の好ましい実施形態を示す。
【図面の簡単な説明】
【００１２】
【図１】移動体通信ユニットに関連して検出された状況に応じて移動体通信ユニットの機能を制御するシステム及び方法のためのシステムを示した概略図である。
【図２】図１に示されたプロファイルマネージャユニットが更新されるさまざまな方法を示した概略図である。
【図３】移動体通信ユニットに関連して検出された状況に応じて移動体通信ユニットの機能を制御する方法を示したフロー図である。
【発明を実施するための形態】
【００１３】
以下の詳細な説明では、多数の特定の詳細が、本発明の完全な理解を提供するために説明される。しかしながら、本発明は、これらの特定の詳細説明なしで実施することができると当業者によって理解される。別の例では、本発明を曖昧にすることを避けるために、周知の方法、手順、構成要素、及び回路は詳細に記述されない。
【００１４】
用語“連結された”、“接続された”、及びそれらの派生語が本明細書で用いられた場合、それらの用語はお互いに同義語であると意図されていないことが理解されるべきである。むしろ、特定の実施形態では、“接続された”は、２つ以上の要素又は素子がお互いに直接的に物理的あるいは電気的に接触していることを示すために使用される。“連結された”は、２つ以上の要素又は素子がお互いに直接的あるいは間接的（それらの間に別の介在要素がある。）に物理的あるいは電気的に接触していること、あるいは２つ以上の要素又は素子がお互いに協働するあるいは相互作用する（例えば、因果関係にあるような）ことを示すために使用される。
【００１５】
図１は、移動体通信ユニットに関連して検出された状況に応じて移動体通信ユニットの機能を制御するシステム及び方法のためのシステムを示した概略図である。図１では、遠隔通信システム１０は、ＵＭＡ（アンライセンスドモバイルアクセス（Ｕｎｌｉｃｅｎｓｅｄ  Ｍｏｂｉｌｅ  Ａｃｃｅｓｓ））ネットワーク（ＵＭＡＮ：Ｕｎｌｉｃｅｎｓｅｄ  Ｍｏｂｉｌｅ  Ａｃｃｅｓｓ  Ｎｅｔｗｏｒｋ）１２、及び無線アクセスネットワーク（ＲＡＮ：Ｒａｄｉｏ  Ａｃｃｅｓｓ  Ｎｅｔｗｏｒｋ）１４を含む。ＵＭＡＮ１２は、制限事項としてではなく一例として、Ｗｉ−Ｆｉ（登録商標）ネットワーク、Ｂｌｕｅｔｏｏｔｈ（登録商標）ネットワーク又は別のタイプのＵＭＡにおいて具体化されてもよい。ＲＡＮ１４は、制限事項としてではなく一例として、任意のいくつかの通信プロトコルを利用するセルラーネットワーク又はパーソナルコミュニケーションシステム（ＰＣＳ）ネットワークにおいて具体化されていてもよい。上記通信プロトコルは、制限事項としてではなく別の例として、ＡＭＰＳ（Ａｄｖａｎｃｅｄ  Ｍｏｂｉｌｅ  Ｐｈｏｎｅ  Ｓｅｒｖｉｃｅ）、ＧＳＭ（Ｇｒｏｕｐｅ  Ｓｐｅｃｉａｌｅ  Ｍｏｂｉｌｅ、又はＧｌｏｂａｌ  Ｓｙｓｔｅｍ  ｆｏｒ  Ｍｏｂｉｌｅ  ｃｏｍｍｕｎｉｃａｔｉｏｎｓ）、又は時分割多元接続（ＴＤＭＡ：Ｔｉｍｅ  Ｄｉｖｉｓｉｏｎ  Ｍｕｌｔｉｐｌｅ  Ａｃｃｅｓｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）又は別の符号化方法を用いた別のプロトコルを含む。ＵＭＡＮ１２及びＲＡＮ１４は、無線呼出しユニット又は機器１６とともに無線通信のために構成されている。
【００１６】
ＵＭＡＮ１２は、ＩＰ（インターネットプロトコル）アクセスネットワーク２２に連結されたアクセスユニット２０を含む。アクセスユニット２０は、無線通信ユニット１６とＩＰアクセスネットワーク２２との通信を容易にする。ＩＰアクセスネットワーク２２は、ＵＭＡネットワークコントローラ（ＵＮＣ）又は別のネットワークコントローラ２４に連結されている。ネットワークコントローラ２４は、アプリケーションシステム３０に連結されている。アプリケーションシステム３０は、制限事項としてではなく一例として、通信ネットワーク又はＩＰアクセスネットワーク、アプリケーションクライアント３２との通信呼出しに適した別のインターフェースにおいて具体化されてもよい。アプリケーションクライアント３２は、制限事項としてではなく一例として、緊急応答機関（ＰＳＡＰ：Ｐｕｂｌｉｃ  Ｓａｆｅｔｙ  Ａｎｓｗｅｒｉｎｇ  Ｐｏｉｎｔ、又はＰｕｂｌｉｃ  Ｓａｆｅｔｙ  Ａｎｓｗｅｒｉｎｇ  Ｐｏｓｉｔｉｏｎ）などの応答施設において具体化されてもよい。アプリケーションシステム３０は、アプリケーションクライアント３２との通信呼出しを実行するためにデータサーバ３４及びインターフェースユニット３６を含んでもよい。アプリケーションシステム３０、データサーバ３４、及びインターフェースユニット３６の詳細は、これらの要素又は素子は遠隔通信システム設計の当業者の理解の範囲内であるため、本明細書では議論しない。
【００１７】
ＲＡＮ１４はアクセスユニット４０を含み、アクセスユニット４０は無線塔４２において具体化される無線アンテナ及び無線塔４２に連結された基地送受信局（ＢＴＳ：Ｂａｓｅ  Ｔｒａｎｓｃｅｉｖｅｒ  Ｓｔａｔｉｏｎ）４４を含む。ＢＴＳ４４は、プライベートネットワーク４６と連結されている。プライベートネットワーク４６は、制限事項としてではなく一例として、任意のいくつかの通信プロトコルを利用するセルラーネットワーク又はＰＣＳネットワークにおいて具体化されてもよい。上記通信プロトコルは、制限事項としてではなく別の例として、ＡＭＰＳ（Ａｄｖａｎｃｅｄ  Ｍｏｂｉｌｅ  Ｐｈｏｎｅ  Ｓｅｒｖｉｃｅ）、ＧＳＭ、又は時分割多元接続（ＴＤＭＡ：Ｔｉｍｅ  Ｄｉｖｉｓｉｏｎ  Ｍｕｌｔｉｐｌｅ  Ａｃｃｅｓｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）又は別の符号化方法を用いた別のプロトコルを含む。アクセスユニット４０は、無線通信ユニット１６とプライベートネットワーク４６との通信を容易にする。プライベートネットワーク４６は、移動体スイッチ４８に連結されている。移動体スイッチ４８は、制限事項としてではなく一例として、移動体交換局（ＭＳＣ：Ｍｏｂｉｌｅ  Ｓｗｉｔｃｈｉｎｇ  Ｃｅｎｔｅｒ）において具体化されてもよい。移動体スイッチ４８は、アプリケーションシステム３０及びネットワークコントローラ２４に連結されている。
【００１８】
ネットワークコントローラ２４と移動体スイッチ４８はまた、管理システム５０に連結されている。管理システム５０は、移動体通信ユニット１６に関係する検出された条件に応じて、移動体通信ユニット１６のどの機能が影響を受けるべきか、及びその機能がどのように影響を受けるべきかに関する既定のルールを提供するためのルールエンジン５２を含む。管理システム５０はまた、一般に管理システム５０の管理に関係するパラメータ、及び特にルールエンジン５２の管理に関係するパラメータを記憶するプロファイルマネージャユニット５４を含む。通信ポート又は更新ポート５６は、プロファイルマネージャユニット５４へ提供されて、必要に応じてプロファイルマネージャユニット５４又はルールエンジン５２の登録事項の変更を可能にする。管理システム５０は、ネットワークコントローラ２４、ＩＰアクセスネットワーク２２、及びアクセスユニット２０を経由して、移動体通信ユニット１６に連結されている。交互に（あるいは付加的に）管理システム５０は、移動体スイッチ４８、プライベートネットワーク４６、及びアクセスユニット４０を経由して、移動体通信ユニット１６に連結されてもよい。
【００１９】
ネットワークベースのセンサユニット６０及び関連した機能状態記憶装置６２は、ＩＰアクセスネットワーク２２及びアクセスユニット２０を経由して、移動体通信ユニット１６に連結するために方向づけられている。ネットワークベースのセンサ６０は、制限事項としてではなく一例として、アクセスユニット２０の場所に基づいた位置、移動体通信ユニット１６による動き、及び別のパラメータなどの移動体通信ユニット１６に関係する特定のパラメータを確定することができる。
【００２０】
ネットワークベースのセンサユニット６４及び関連した機能状態記憶装置６６は、プライベートネットワーク４６及びアクセスユニット４０を経由して、移動体通信ユニット１６に連結するために方向づけられている。ネットワークベースのセンサ６４は、制限事項としてではなく一例として、アクセスユニット４０を経由して移動体通信ユニット１６にサービスを提供しているセル及びセクタに基づいた位置、移動体通信ユニット１６による動き、及び別のパラメータなどの移動体通信ユニット１６に関係する特定のパラメータを確定することができる。
【００２１】
移動体局所センサユニット７０及び関連した機能状態記憶装置７２は、移動体通信ユニット１６に接続されている。移動体局所センサ７０は、制限事項としてではなく一例として、ＧＰＳ（Ｇｌｏｂａｌ  Ｐｏｓｉｔｉｏｎｉｎｇ  Ｓｙｓｔｅｍ）に基づいた位置、加速度計デバイスによって示される移動体通信ユニット１６による動き（図１には示していないが、センサ装置の当業者には理解される。）、移動体通信ユニット１６の近辺における温度、湿度、又は別の環境パラメータ、及び別のパラメータなどの移動体通信ユニット１６に関係する特定のパラメータを確定することができる。
【００２２】
移動体局所センサ７０はまた、Ｂｌｕｅｔｏｏｔｈ（登録商標）局所無線接続を経由したリンク、あるいは移動体通信ユニット１６がその中で移動している自動車に組み込まれたセンサとのリンクのような、移動体通信ユニット１６の近辺における別の複数のセンサとリンクすることができてもよい（図１に図示せず。）。そのような局所無線リンクは、制限事項としてではなく一例として、移動体通信ユニット１６がその中で移動している自動車においてどの座席が使用されているのかなどの移動体局所センサ７０とともに利用する追加の入力を可能にする。
【００２３】
センサ６０、６４、７０のうちの１つ又はそれ以上が、移動体通信ユニット１６と関連した１つ又はそれ以上のパラメータを検出し、検出されたパラメータの表示又はインジケータ（指示子）を管理システム５０へ伝送する。管理システム５０は、移動体通信ユニット１６と協働してルールエンジン５２又はプロファイルマネージャ５４（又は両方）を用いて、上記受信した検出されたパラメータの表示を使用して、移動体通信ユニット１６の少なくとも１つの機能を制御する。
【００２４】
管理システム５０は、上述したように、移動体通信ユニット１６との協働を実行する、又は管理システム５０は、センサ６０、６４、７０のうちの１つ又はそれ以上によって検出されたパラメータに応じて、移動体通信ユニット１６によって局所的に利用される移動体通信ユニット１６に対する関連する更新されたルール又は基準をダウンロードする。移動体通信ユニット１６とともに管理システム５０、及びセンサ６０、６４、７０によって一斉に実行される協働、ダウンロード、及び別の行動は、ＵＭＡＮ１２又はＲＡＮ１４を経由して実行される。
【００２５】
制限事項としてではなく一例として、センサ６０、６４，７０のうちの１つ又はそれ以上が、移動体通信ユニット１６が既定のしきい値速度を超える速度で移動していることを検出すると、システム１０は、移動体通信ユニット１６が自動車内で移動していると（ルールエンジン５２に含まれるルールにしたがって）推定する。その結果、管理システム５０は、移動体通信ユニット１６と協働して、移動体通信ユニット１６のテキスティング機能を、９‐１‐１（緊急サービス通信番号）へのテキスティング機能を除いて無効にする。移動体通信ユニット１６がその中で移動している自動車と移動体通信ユニット１６による局所リンクは、移動体通信ユニット１６が確かに自動車の中にあること、及び上記自動車のどの乗客席も使用されていないことを確認するために使用される。
【００２６】
制限事項としてではなく一例として、システム１０は、建物の場所７６がＵＭＡＮ１２を利用し、信号を提示（表示）して又は移動体通信ユニット１６と通信して、建物の場所７６への移動体通信ユニット１６の入場を確認するサービスに契約している映画館などの建物の場所７６に電話機又は別の方法を経由してリンクされる。契約しているサービスは、制限事項としてではなく一例として、固定電話機、ＵＭＡＮ１２、又はＲＡＮ１４を含むいくつかの通信手段のうちの１つ又はそれ以上を経由して、その状況を管理システム５０に警告する。管理システム５０は、システム１０を経由して移動体通信ユニット１６と協働して、移動体通信ユニット１６が建物の場所７６に留まっている間、移動体通信ユニット１６の呼び出し音を消音し、またそうでなければ、移動体通信ユニット１６の機能又は性能に影響を及ぼす。
【００２７】
図２は、図１に示されたプロファイルマネージャユニットが更新されるさまざまな方法を示した概略図である。図２において、プロビジョニングシステム８０は、管理システム５０の情報を更新するために構成されている。プロビジョニングシステム８０は、インターフェースユニット８４に連結されたデータサーバユニット８２を含む。
【００２８】
プロビジョニングシステム８０は、管理システム５０と関連した通信ポート又は更新ポート５６に連結されている（図１）。プロファイルマネージャ５４（図１）は、ホーム加入者又はビジネス加入者によって設定された好み（preferences）、及び遠隔通信システム設計の当業者に周知の任意のさまざまな技術によってインターフェースユニット８４を経由してプロビジョニングシステム８０に提出された好み（preferences）に基づいて管理システム５０を動作させるために、更新されることができる。上記当業者に周知の技術は、制限事項としてではなく一例として、計算機９０、電話機９２、ファクシミリ装置９４、及びＰＤＡ（Personal Digital Assistant）９６、又は制限事項としてではなく一例として、スマートフォン（図２に図示せず。）などの別の通信デバイスを含む。
【００２９】
図３は、移動体通信ユニットに関連して検出された状況に応じて移動体通信ユニットの機能を制御する方法を示したフロー図である。図３において、少なくとも１つの移動体通信ユニットの少なくとも１つの機能を制御する方法１００は、開始（場所１０２）から始まる。
【００３０】
方法１００は、順不同で、（１）ブロック１０４で示されるように、少なくとも１つのセンサユニットを提供すること、及び（２）ブロック１０６で示されるように、少なくとも１つの機能管理システムを提供することを続ける。
【００３１】
方法１００は、順不同で、（１）ブロック１０８で示されるように、少なくとも１つのセンサユニットを少なくとも１つの移動体通信ユニットに連結すること、及び（２）ブロック１１０で示されるように、少なくとも１つの機能管理システムを少なくとも１つのセンサユニットに連結することを続ける。
【００３２】
方法１００は、ブロック１１２で示されるように、少なくとも１つのセンサを動作させて、少なくとも１つの移動体通信ユニットと関連した少なくとも１つのパラメータを検出し、少なくとも１つのパラメータのそれぞれの検出されたパラメータに関係するそれぞれのインジケータ（指示子）を提示（表示）することを続ける。
【００３３】
方法１００は、ブロック１１４で示されるように、少なくとも１つの機能管理システムを動作させて、それぞれのインジケータ（指示子）の表示を受信することを続ける。
【００３４】
方法１００は、ブロック１１６で示されるように、少なくとも１つの移動体通信ユニットと協働して上記少なくとも１つの機能管理システムを動作させて、上記表示を使用し、上記制御を行うことを続ける。
【００３５】
方法１００は終了（場所１１８）で終了する。
【００３６】
与えられた詳細な図面及び特定の実施例は、本発明の実施形態を説明するが、それらは説明のみを目的としており、本発明のシステム及び方法は、開示された正確な詳細及び条件に限定されるものではなく、さまざまな変更が以下の特許請求の範囲で定義される本発明の精神から逸脱することなくその中で実行されると理解されるべきである。
【図１】
2009290871.tif 000003
【図２】
2009290871.tif 000004
【図３】
2009290871.tif 000005
【外国語明細書】
2009290871.tif 000006
2009290871.tif 000007
2009290871.tif 000008
2009290871.tif 000009
2009290871.tif 000010
2009290871.tif 000011
2009290871.tif 000012
2009290871.tif 000013
2009290871.tif 000014
2009290871.tif 000015
2009290871.tif 000016
2009290871.tif 000017
2009290871.tif 000018
2009290871.tif 000019
2009290871.tif 000020
2009290871.tif 000021
2009290871.tif 000022
2009290871.tif 000023
2009290871.tif 000024